(57)【要約】【課題】            防災信号があった際に任意の開放位置で係止させた開閉体の自動閉鎖の確実性を向上させることができる開閉扉装置を提供する。【解決手段】        開口部幅方向へ開閉動作可能な扉体５と、該扉体５を閉鎖方向へ牽引する長尺状の牽引部材２１と、該牽引部材２１を扉体閉鎖方向側から付勢部材の付勢力によって巻き取る巻取装置２０と、前記扉体５を前記付勢力に抗して開放途中位置及び／又は全開位置で係止する係脱装置３０，４０とを備え、防災信号があった際に、前記巻取装置２０に前記付勢部材の付勢力よりも大きい巻取力を加えることにより、前記係脱装置３０，４０による係止状態が解除されるようにした。【選択図】          図１
2008057270.tif 000002
【特許請求の範囲】
【請求項１】
開口部幅方向へ開閉動作可能な扉体と、該扉体を閉鎖方向へ牽引する長尺状の牽引部材と、該牽引部材を扉体閉鎖方向側から付勢部材の付勢力によって巻き取る巻取装置と、前記扉体を前記付勢力に抗して開放途中位置及び／又は全開位置で係止する係脱装置とを備え、
防災信号があった際に、前記巻取装置に前記付勢部材の付勢力よりも大きい巻取力を加えることにより、前記係脱装置による係止状態が解除されるようにしたことを特徴とする開閉装置。
【請求項２】
上記巻取装置は、上記牽引部材を巻取ったり繰り出したりするように軸支された巻取体と、該巻取体を回転させるように該巻取体の外周面に接する駆動回転体と、該駆動回転体を巻取り方向へ回転させる電動モータとを備え、該電動モータを防災信号に応じて通電するようにしたことを特徴とする請求項１記載の開閉扉装置。
【請求項３】
上記係脱装置は、全開位置にある上記扉体を閉鎖方向側から係脱可能に係止する第一係脱装置と、同扉体を開放途中位置で係脱可能に係止する第二係脱装置とを具備してなることを特徴とする請求項１又は２記載の開閉扉装置。
【発明の詳細な説明】
【技術分野】
【０００１】
本発明は、例えば、折戸装置や、引戸装置、バランスドア、スライディングドア等、扉体を開口部幅方向へ開閉する開閉扉装置に関し、詳しくは、開放状態で停止している扉体を防災信号に応じて自動閉鎖するようにした開閉扉装置に関するものである。
【背景技術】
【０００２】
従来、この種の発明には、特許文献１の図１に記載されているように、扉体（扉１）の開放方向端部側に着脱装置（Ｙ）を備え、レール（５）の傾斜により閉鎖方向へ付勢された扉体（扉１）を、全開位置で係止するようにした防災用扉がある。
【０００３】
この従来技術によれば、火災等の発生していない通常使用時には、係脱部材（ストッパー１０）の先端側が下方側に維持される。したがって、扉体（扉１）を全開すれば、その扉体（扉１）は係脱部材（ストッパー１０）に係止されて全開状態を維持する。また、扉体（扉１）を閉鎖動作すれば、係脱部材（ストッパー１０）が弾性的に変形するため、扉体（扉１）を係脱部材（ストッパー１０）から離脱させて閉鎖方向へ動作させることができる。
また、火災等が発生した非常時には、プランジャ進退機構（出入り部材１１２）の作動により、係脱部材（ストッパー１０）の先端側が上方側に維持される。
そのため、例えば、扉体（扉１）が全開状態にあった場合には、その扉体（扉１）が係脱部材（ストッパー１０）から外れて自動的に閉鎖動作する。また、扉体（扉１）が全閉状態にあった場合には、その全閉状態が維持される。
すなわち、非常時には、扉体（扉１）を全閉状態にして、火炎や煙が蔓延するのを防ぐことができる。
【０００４】
しかしながら、上記従来技術に対し、例えば特許文献２に記載されたフリーストップ機構を備えれば、扉体（扉１）を、全開位置以外に、開閉方向の任意の位置でも停止することができるが、この構造とした場合には、任意の位置で停止した扉体（扉１）を、上記構造の着脱装置（Ｙ）では自動閉鎖することができない。
また、上記従来技術では、扉体（扉１）の開放方向側の上方に、複雑な構造の前記着脱装置（Ｙ）を設置する構造であるため、扉体（扉１）上方側の無目を比較的広く確保する必要がある上、現場状況によって扉体（扉１）が戸袋内に隠されて、着脱装置（Ｙ）に対するメンテナンス作業がし難い。
【特許文献１】特許第３３９８８１５号公報
【特許文献２】特開平８−４２２３０号公報
【発明の開示】
【発明が解決しようとする課題】
【０００５】
本発明は上記従来事情に鑑みてなされたものであり、その課題とする処は、防災信号があった際に任意の開放位置で係止させた開閉体の自動閉鎖の確実性を向上させることができる開閉扉装置を提供することにある。
【課題を解決するための手段】
【０００６】
上記課題を解決するために第一の発明では、開口部幅方向へ開閉動作可能な扉体と、該扉体を閉鎖方向へ牽引する長尺状の牽引部材と、該牽引部材を扉体閉鎖方向側から付勢部材の付勢力によって巻き取る巻取装置と、前記扉体を前記付勢力に抗して開放途中位置及び／又は全開位置で係止する係脱装置とを備え、防災信号があった際に、前記巻取装置に前記付勢部材の付勢力よりも大きい巻取力を加えることにより、前記係脱装置による係止状態が解除されるようにしたことを特徴とする。
【０００７】
ここで、上記扉体は、該扉体により閉鎖される開口部に対し、その開口部幅方向へ開閉動作する構成であればよく、この扉体には、引戸を構成する扉体や、折戸を構成する扉体等を含む。
【０００８】
また、上記係脱装置は、上記扉体を上記付勢力に抗して開放途中位置及び／又は全開位置で係止する構造のものであればよく、この係脱装置には、上記扉体をその開放方向側から係脱する態様と、上記扉体をその閉鎖方向側から係脱する態様とを含むが、メンテナンス性等の観点より後者の態様の方が好ましい。
【０００９】
また、第二の発明では、上記巻取装置は、上記牽引部材を巻取ったり繰り出したりするように軸支された巻取体と、該巻取体を回転させるように該巻取体の外周面に接する駆動回転体と、該駆動回転体を巻取り方向へ回転させる電動モータとを備え、該電動モータを防災信号に応じて通電するようにしたことを特徴とする。
【００１０】
また、第三の発明では、上記係脱装置は、全開位置にある上記扉体を閉鎖方向側から係脱可能に係止する第一係脱装置と、同扉体を開放途中位置で係脱可能に係止する第二係脱装置とを具備してなることを特徴とする。
【発明の効果】
【００１１】
本発明は、以上説明したように構成されているので、以下に記載されるような作用効果を奏する。
第一の発明によれば、扉体を任意の開放位置で係止する構造とした場合でも、防災信号があった際に、任意の開放位置で係止された扉体を、閉鎖方向側から牽引部材により牽引することで自動閉鎖することが可能となる。
また、防災信号があった際に、閉鎖方向側に配置された巻取装置からの牽引力によって扉体の係止状態が解除される構造であるため、扉体上方側を簡素で省スペースな構造にすることができる。その上、巻取装置が閉鎖方向側に配置されるため、その巻取装置に対するメンテナンス作業を、扉体を開放した状態で容易に行うことができる。
【００１２】
更に、第二の発明によれば、防災信号に応じて電動モータが通電されると、電動モータの回転力によって、駆動回転体および巻取体が巻取り方向へ回転し、巻取体が牽引部材を巻き取る。そのため、扉体が係脱装置によって係止されている状態では、その扉体は、閉鎖方向側から牽引部材により牽引されることで、係止状態から解除されて自動閉鎖する。
よって、扉体を自動閉鎖する構造を、生産性の良好な具体的態様とすることができる。
【００１３】
更に、第三の発明によれば、扉体を開放途中位置と全開位置との双方で良好に係止することができる。しかも、第一係脱装置が扉体を閉鎖方向側から係脱可能に係止する構造であるため、この第一係脱装置に対するメンテナンス作業等を、扉体を全開した際に形成される開口部から行うことができ、その作業性が良好である。
【発明を実施するための最良の形態】
【００１４】
以下、本発明の実施の形態を図面に基づいて説明する。
図１は、本実施の形態の開閉扉装置の一例を示す。
この開閉扉装置Ａは、建物等の不動部位に固定される左右の縦枠２，３と上枠４とによって囲まれる空間内に、扉体５を配設することで、所謂引戸装置を構成しており、該扉体５を開口部幅方向（図１によれば左右方向）へスライドさせて開閉動作する。
【００１５】
上枠４は、左右の縦枠２，３の上端部間に配設された中空状の枠体であり、その内部には、扉体５を吊った状態で開閉方向へ導くためのレール６が、該上枠４の長手方向へわたって固定されている。
【００１６】
扉体５は、正面視縦長矩形状を呈し、その上辺部に複数（図示例によれば二つ）の吊車１０を介在して、レール６に引っ掛けられるようにして吊り下げられている。
レール６は、扉体開閉方向へわたる断面略Ｌ字状を呈し、その扉体厚さ方向（図１における手前方向）へ突出する突端部に上方へ突出する凸状レール部６ａを有し、この凸状レール部６ａを、後述する吊車１０の外周面や、第二係脱装置４０における振り子部材４２の下端部に対し、凹凸状に遊嵌させる。
【００１７】
吊車１０は、扉体５の上端に固定され上方向きに突出する軸支ブラケット１１と、該軸支ブラケット１１によって回動自在に支持されたローラ１２とを備え、ローラ１２外周面の環状溝をレール６の凸状レール部６ａに遊嵌させて転動させるようにしている。
そして、この巻取装置２０配置側の吊車１０の軸支ブラケット１１には、後述する巻取装置２０における牽引部材２１の先端部が固定されている。
【００１８】
上記巻取装置２０は、不動部位である上枠に固定された支持ブラケット２４と、該支持ブラケット２４に軸支されて双方向へ回転する巻取体２２と、該巻取体２２により巻き取られたり繰り出されたりする牽引部材２１と、巻取体２２を巻取り方向へ付勢する付勢部材（図示せず）と、同巻取体２２の外周面に接する駆動回転体２３とを備え、防災信号に応じて電動モータ２５が通電されることで、駆動回転体２３から巻取体２２に対し巻取力を加えるようになっている。
【００１９】
巻取体２２は、支持ブラケット２４によって回動自在に軸支された滑車状の部材であり、その内部に設けられたゼンマイやコイルスプリング等の付勢部材によって、牽引部材２１を巻き取る回転方向へ付勢されている。
【００２０】
牽引部材２１は、扉体５の開閉範囲にわたる長さの長尺紐状に形成され、例えば、金属製のワイヤー等とされる。
この牽引部材２１の一端側は、巻取装置２０配置側の吊車１０の軸支ブラケット１１に止着され、他端側は巻取体２２の外周面に止着されている。
【００２１】
また、電動モータ２５は、巻取体２２を巻取り方向へ回転させるものであればよく、例えば、直流モータや交流モータ等とすることが可能である。この電動モータ２５は、防災信号があった際に、図示しない制御部から電源を供給されて、巻取体２２を巻取り方向へ回転させるように電気配線されている。
なお、電動モータ２５に供給される電源は、防災信号を直接電源として利用してもよいし、防災信号用などの非常用電源を利用してもよい。
【００２２】
そして、前記電動モータ２５における出力軸には、巻取体２２の外周面に接して、巻取体２２を連動回転させるように略円筒状の駆動回転体２３が固定されている。この駆動回転体２３の少なくとも外周面には、回転力を巻取体２２に対し効率的に伝達するように、ゴムや軟質合成樹脂材料等の滑り止め材が設けられている。
なお、電動モータ２５が配置される位置は、図１によれば扉体５や吊車１０等との干渉を避けるように巻取体２２の左上としているが、駆動回転体２３の外周面を巻取体２２の外周面に摺接させて、回転力を伝達できるようにすれば、他の位置とすることも可能である。
【００２３】
また、上記扉体５と不動部位である上枠４との間には、全開位置となった際の扉体５を閉鎖方向側から係脱可能に係止する第一係脱装置３０、同扉体５を開放途中位置で係脱可能に係止する第二係脱装置４０等が設けられている。
【００２４】
第一係脱装置３０は、図２に示すように、不動部位である上枠４に固定された凸部３１と、扉体５の開閉動作時に該凸部３１を弾性変形しながら乗り越える弾性部３２とからなり、これら凸部３１と弾性部３２とを扉体の厚さ方向に係脱させる。
【００２５】
凸部３１は、図示例によれば、金属板を凸形状に曲げ加工してなり、全開位置になった際の扉体５の戸先部分に対応するようにして、ネジやボルト、リベット等の止着具によって上枠４に止着されている。
【００２６】
また、弾性部３２は、図示例によれば、長尺状の金属板における先端側を略へ字状に曲げることで、該先端側に、扉体５から離間する方向へ突出する隆起部３２ａを形成している。この隆起部３２ａは、弾性的な変形により扉体５面に対し接近離間する。
そして、弾性部３２は、扉体５が全開した際に、前記隆起部３２ａを凸部３１の扉体開放方向側（図２によれば右側）に係止させるように配置され、隆起部３２ａと逆側の基端部が扉体５に対し固定される。
【００２７】
第一係脱装置３０における凸部３１と隆起部３２ａとの係脱は、基本的には隆起部３２ａ側の弾性変形により行われるが、本実施の形態の開閉扉装置Ａによれば、扉体５を吊車１０によって吊り下げるようにした構造であるため、扉体５の厚さ方向への揺動によっても補助されて、スムーズに行われる。
【００２８】
また、第二係脱装置４０は、吊車１０の軸支ブラケット１１に固定された支持ブラケット４１に、振り子部材４２の基端側を回動可能に支持してなる周知のフリーストッパー機構（例えば、特許文献２参照）である。
この第二係脱装置４０の動作を説明すれば、図３（ａ）に示すように、扉体５が開放動作した際には、振り子部材４２の揺動端側が扉体閉鎖方向側（図３における左方向側）へ傾く。
扉体５が開放動作途中で停止されると、該扉体５には巻取装置２０による閉鎖方向の牽引力が作用する。そのため、振り子部材４２の揺動端側が逆方向（扉体開放方向）へ揺動しようとし、該振り子部材４２の揺動端部とレール６との間の摩擦力が大きくなって、扉体５は開放途中位置で停止した状態に維持される。
また、扉体５に対し、巻取装置２０における付勢部材（図示せず）の付勢力よりも大きい閉鎖力が作用した場合には、振り子部材４２が若干上方へ移動しながら揺動端側を扉体開放方向側（図３における右方向側）へ傾ける。したがって、扉体５は、巻取装置２０における付勢部材の付勢力によって閉鎖動作することになる。
なお、振り子部材４２は、例えば長孔によって支持されるとともに圧縮バネにより下方へ付勢された構造等、周知のフリーストッパー機構の構造とされる。
【００２９】
次に、防災信号があった場合における上記開閉扉装置Ａの動作について説明する。
扉体５が全開位置で第一係脱装置３０により係止されている際に、防災信号があった場合には、電動モータ２５に電力が通電されることで、巻取体２２が巻取り方向へ回転しようとする。
したがって、扉体５には巻取装置２０の図示しない付勢部材の付勢力よりも大きい閉鎖力が作用し、第一係脱装置３０における隆起部３２ａが凸部３１を閉鎖方向へ乗り越え、第一係脱装置３０による係止状態が解除される。
そして、扉体５は、電動モータ２５の回転力と、巻取装置２０における付勢部材の付勢力との合成力によって、閉鎖方向へ移動することになる。
【００３０】
また、扉体５が開放途中位置において第二係脱装置４０によって係止されている際に、防災信号があった場合には、巻取装置２０の電動モータ２５に電力が通電されることで、巻取体２２が巻取り方向へ回転しようとする。
すると、扉体５には巻取装置２０の図示しない付勢部材の付勢力よりも大きい閉鎖力が作用し、第二係脱装置４０の振り子部材４２の揺動端側が扉体開放方向へ傾く。
したがって、第二係脱装置４０による係止状態が解除されて、扉体５は、巻取体２２に作用する電動モータ２５の回転力と、巻取装置２０における付勢部材の付勢力との合成力によって、閉鎖方向へ移動することになる。
【００３１】
なお、上記電動モータ２５への通電は、扉体５の閉鎖動作中継続していてもよいし、第一係脱装置３０または第二係脱装置４０による係止状態から解除された後に遮断されてもよい。すなわち、後者の場合であっても、巻取装置２０における付勢部材（図示せず）の付勢力によって、扉体５の閉鎖動作を継続することが可能である。
【００３２】
また、扉体５が全閉位置にある際には、防災信号に応じて電動モータ２５への通電があったとしても、扉体５は縦枠２に当接しているため状態変化しない。
【００３３】
よって、上記開閉扉装置Ａによれば、扉体５が全開位置にある場合と途中開放位置にある場合との双方において、その扉体５を防災信号に応じて自動閉鎖することができ、ひいては、火災等の災害時に、炎や煙が蔓延するのを防ぐことができる。
【００３４】
なお、上記実施の形態では、駆動回転体２３の外周面と巻取体２２の外周面とを摺接させて、駆動回転体２３の回転力を巻取体２２へ伝達する構造としているが、他例としては、巻取体２２と一体的な歯車（図示せず）と駆動回転体２３と一体的な歯車（図示せず）とを係合させて、駆動回転体２３の回転力を巻取体２２へ伝達する構造としてもよい。
【００３５】
更に他例としては、前記駆動回転体２３を省き、巻取体２２を電動モータによって直接回転させる構造や、チェーンとスプロケット、またはベルトとプーリー等の動力伝達手段を介して駆動回転体２３の回転力を巻取体２２へ伝達する構造等とすることも可能である。
【図面の簡単な説明】
【００３６】
【図１】本発明に係わる開閉扉装置の一例を示す要部正面図である。
【図２】同開閉扉装置の第一係脱装置の構造を示す要部平面図である。
【図３】同開閉扉装置の第二係脱装置を示す要部正面図であり、（ａ）は扉体が開放動作中または開放途中位置で係止された状態を示し、（ｂ）は扉体が閉鎖動作中または全閉位置にある状態を示す。
【符号の説明】
【００３７】
５：扉体
１０：吊車
２０：巻取装置
２１：牽引部材
２３：駆動回転体
２５：電動モータ
３０：第一係脱装置
４０：第二係脱装置
Ａ：開閉扉装置
【図１】
2008057270.tif 000003
【図２】
2008057270.tif 000004
【図３】
2008057270.tif 000005